(57)【要約】      （修正有）【課題】材料費を低減することができ、短時間で電柱に取付可能で、容易に通信線を架設することができる通信線支持具を提供する。【解決手段】支持部材１１が、一枚の矩形状の金属板を、中央部１１ｃに対して各端部１１ａ，１１ｂを同じ方向に折り曲げて形成されている。支持部材１１は、各端部１１ａ，１１ｂの対向する位置にそれぞれ取付孔１１ｄ，１１ｅを有し、各端部１１ａ，１１ｂの中央部１１ｃ寄りの位置に、それぞれ電柱用バンドを通すための挿入孔１１ｆを有している。支持部材１１は、中央部１１ｃが電柱の径より小さい曲率で各端部１１ａ，１１ｂの伸長方向に向かって凸状に湾曲している。軸部材１２が、角根丸頭ボルト２１とそれに螺合するナット２２とから成り、各端部１１ａ，１１ｂに架け渡されている。角根丸頭ボルト２１の角根部分２１ａは正方形の取付孔１１ｄと係合している。【選択図】図１
0003190156.tif 000002
【実用新案登録請求の範囲】
【請求項１】
通信線を電柱で支持するために、電柱用バンドに取り付けて使用される通信線支持具であって、
前記電柱用バンドに取り付けられて前記電柱に固定される支持部材と、
前記支持部材に取り付けられた軸部材とを
有することを特徴とする通信線支持具。
【請求項２】
前記支持部材は、一枚の矩形状の金属板を、両端部が間隔をあけて互いに平行を成すよう、中央部に対して各端部を同じ方向に折り曲げて形成され、各端部の対向する位置にそれぞれ取付孔を有し、
前記軸部材は、各取付孔に挿入されて各端部に架け渡されていることを
特徴とする請求項１記載の通信線支持具。
【請求項３】
前記支持部材は、各端部の各取付孔より前記中央部寄りの位置に、それぞれ前記電柱用バンドを通すための挿入孔を有し、前記中央部が前記電柱の径より小さい曲率で各端部の伸長方向に向かって凸状に湾曲していることを特徴とする請求項２記載の通信線支持具。
【請求項４】
前記軸部材は角根丸頭ボルトとそれに螺合するナットとから成り、
前記角根丸頭ボルトの角根部分が前記支持部材の各取付孔の一方と係合していることを
特徴とする請求項２または３記載の通信線支持具。
【請求項５】
円周方向に沿って周面に溝を有し、中心に軸孔が設けられた円板を有し、
前記円板は、前記軸孔に前記軸部材を挿入して、前記軸部材に回転可能に取り付けられていることを
特徴とする請求項１乃至４のいずれか１項に記載の通信線支持具。
【考案の詳細な説明】
【技術分野】
【０００１】
本考案は、光ケーブルなどの通信線を電柱で支持するための通信線支持具に関する。
【背景技術】
【０００２】
従来、光ケーブルなどの通信線１を架設するために、図３（ａ）に示すように、滑車を取り付けた２つの電柱用バンド３０を、互いに反対側に向けて上下に並べて電柱２に取り付け、反対に向いた滑車からそれぞれ支持線３を伸ばして両隣の電柱に架設し、それらの支持線３を利用して通信線１を架設する方法が利用されていた。
【０００３】
また、円周を４つに分割した略円弧状の４つのバンド材を、電柱の円周方向に配置し、隣接するバンド材をボルト等の接続部材で接続するとともに、その接続部材で支持線を支持して通信線を架設する方法も開発されている（例えば、特許文献１参照）。
【先行技術文献】
【特許文献】
【０００４】
【特許文献１】特開２００７−１１０８１０号公報
【考案の概要】
【考案が解決しようとする課題】
【０００５】
しかしながら、図３（ａ）に記載の架設方法では、電柱用バンドが２つ必要であり、材料費が嵩むという課題があった。また、２つの電柱用バンドを取り付けるため、作業時間も長くかかり、作業の手間も嵩むという課題もあった。特許文献１に記載の４つのバンド材を使用する方法では、見かけ上は電柱用バンドは１つであるが、４つのバンド材を取り付ける必要があることから、取付作業が繁雑になり、作業時間が長くなるという課題があった。
【０００６】
本考案は、このような課題に着目してなされたもので、材料費を低減することができ、短時間で電柱に取付可能で、容易に通信線を架設することができる通信線支持具を提供することを目的とする。
【課題を解決するための手段】
【０００７】
上記目的を達成するために、本考案に係る通信線支持具は、通信線を電柱で支持するために、電柱用バンドに取り付けて使用される通信線支持具であって、前記電柱用バンドに取り付けられて前記電柱に固定される支持部材と、前記支持部材に取り付けられた軸部材とを有することを特徴とする。
【０００８】
本考案に係る通信線支持具は、電柱用バンドを利用して支持部材で電柱に固定され、支持部材に取り付けられた軸部材を利用して通信線を支持することができる。軸部材を利用して通信線を支持するためには、例えば、軸部材に滑車等の支持用の部材を取り付けることにより、支持用の部材に引っ掛けた支持線などで通信線を支持することができる。隣り合う２つの電柱との間で通信線を架設する際には、本考案に係る通信線支持具とともに、電柱用バンドの取付部などに取り付けた滑車等の支持用の部材を利用することにより、１つの電柱用バンドで通信線を架設することができる。また、本考案に係る通信線支持具を複数使用して、隣り合う２つの電柱との間で通信線を架設することもできる。
【０００９】
このように、本考案に係る通信線支持具は、１つの電柱用バンドで通信線を架設することができるため、材料費を低減することができる。また、通常の１つの電柱用バンドの取付作業の中で取り付けることができ、比較的短時間で電柱に取付可能で、容易に通信線を架設することができる。
【００１０】
本考案に係る通信線支持具で、前記支持部材は、一枚の矩形状の金属板を、両端部が間隔をあけて互いに平行を成すよう、中央部に対して各端部を同じ方向に折り曲げて形成され、各端部の対向する位置にそれぞれ取付孔を有し、前記軸部材は、各取付孔に挿入されて各端部に架け渡されていることが好ましい。この場合、容易に支持部材を形成することができ、材料費を低減することができる。
【００１１】
本考案に係る通信線支持具で、前記支持部材は、各端部の各取付孔より前記中央部寄りの位置に、それぞれ前記電柱用バンドを通すための挿入孔を有し、前記中央部が前記電柱の径より小さい曲率で各端部の伸長方向に向かって凸状に湾曲していることが好ましい。この場合、各挿入孔に電柱用バンドを通して電柱に取り付けることができる。このとき、支持部材の中央部が電柱の径より小さい曲率で湾曲しているため、支持部材が、中央部の各端部との境界縁の２箇所で電柱と接する。このため、支持部材を、グラグラせずに安定した状態で電柱に固定することができる。
【００１２】
本考案に係る通信線支持具で、前記軸部材は角根丸頭ボルトとそれに螺合するナットとから成り、前記角根丸頭ボルトの角根部分が前記支持部材の各取付孔の一方と係合していることが好ましい。この場合、角根丸頭ボルトを支持部材の各端部に架け渡し、ナットを締め付けるだけで、軸部材を支持部材に共回りを防いで取り付けることができる。このため、電柱上で容易かつ短時間で取付作業を行うことができる。
【００１３】
本考案に係る通信線支持具は、円周方向に沿って周面に溝を有し、中心に軸孔が設けられた円板を有し、前記円板は、前記軸孔に前記軸部材を挿入して、前記軸部材に回転可能に取り付けられていてもよい。この場合、円板に軸部材を挿入することにより、滑車として使用可能であり、通信線を支持するための支持線を円板の周面の溝に巻き掛けて容易に架設することができる。また、電柱用バンドの取付部などにも円板を取り付けて、滑車として使用可能であってもよい。この場合、軸部材の円板とともに、隣り合う２つの電柱との間で通信線を架設することができる。
【考案の効果】
【００１４】
本考案によれば、材料費を低減することができ、短時間で電柱に取付可能で、容易に通信線を架設することができる通信線支持具を提供することができる。
【図面の簡単な説明】
【００１５】
【図１】本考案の実施の形態の通信線支持具を示す（ａ）平面図、（ｂ）側面図である。
【図２】図１に示す通信線支持具を電柱用バンドに取り付けた使用状態を示す（ａ）平面図、（ｂ）側面図である。
【図３】（ａ）従来の電柱での通信線の架設状態を示す側面図、（ｂ）図１に示す通信線支持具を使用した、電柱での通信線の架設状態を示す側面図である。
【考案を実施するための形態】
【００１６】
以下、図面に基づき本考案の実施の形態について説明する。
図１、図２および図３（ｂ）は、本考案の実施の形態の通信線支持具を示している。
図１および図３に示すように、通信線支持具１０は、光ケーブルから成る通信線１を電柱２で支持するために、電柱用バンド３０に取り付けて使用される通信線支持具１０であって、支持部材１１と軸部材１２とを有している。
【００１７】
支持部材１１は、一枚の細長いほぼ矩形状の金属板を、コの字型に折り曲げて形成されている。すなわち、両端部１１ａ，１１ｂが間隔をあけて互いに平行を成すよう、中央部１１ｃに対して各端部１１ａ，１１ｂを同じ方向に折り曲げて形成されている。支持部材１１は、各端部１１ａ，１１ｂの先端側の対向する位置に、それぞれ取付孔１１ｄ，１１ｅを有している。取付孔１１ｄ、１１ｅは、同じ大きさの正方形である。また、支持部材１１は、各端部１１ａ，１１ｂの各取付孔１１ｄ，１１ｅより中央部１１ｃ寄りで、中央部１１ｃとの境界位置に、それぞれ電柱用バンド３０を通すための矩形状の挿入孔１１ｆを有している。また、支持部材１１は、中央部１１ｃが各端部１１ａ，１１ｂの伸長方向に向かって凸状に湾曲している。中央部１１ｃの湾曲は、取り付ける電柱２の径より小さい曲率を有している。
【００１８】
軸部材１２は、角根丸頭ボルト２１とそれに螺合するナット２２とから成っている。角根丸頭ボルト２１は、角根部分２１ａが支持部材１１の正方形の取付孔１１ｄに嵌って係合可能な大きさを有し、先端側のネジ部分２１ｂが支持部材１１の正方形の取付孔１１ｅに挿入可能な大きさを有している。軸部材１２は、角根丸頭ボルト２１を各取付孔１１ｄ，１１ｅに挿入し、その先端のネジ部分２１ｂをナット２２で締め付けることにより、支持部材１１の各端部１１ａ，１１ｂに架け渡されて取り付けられている。このとき、軸部材１２は、正方形の取付孔１１ｄを有する支持部材１１の端部１１ａ側から角根丸頭ボルト２１が挿入され、角根部分２１ａを正方形の取付孔１１ｄに係合させた状態で取り付けられている。なお、角根丸頭ボルト２１を端部１１ｂ側から挿入して、角根部分２１ａを正方形の取付孔１１ｅに係合することもできる。
【００１９】
図２および図３に示すように、通信線支持具１０は、電柱用バンド３０の外側に軸部材１２が配置されるよう、支持部材１１の各挿入孔１１ｆに電柱用バンド３０を挿入し、電柱用バンド３０とともに電柱２に固定されるようになっている。
【００２０】
なお、電柱用バンド３０は、電柱２に固定可能なものであれば、いかなるものであってもよいが、図２に示す一例では、バンド部３１の両端にそれぞれＬ字型の取付部材３２を有し、各取付部材３２を角根丸頭ボルト３３およびナット３４で連結することにより、電柱２に固定可能になっている。また、バンド部３１が各取付部材３２の側の第１バンド部分３１ａとその反対側の第２バンド部分３１ｂの２つの部分に分割可能になっており、第１バンド部分３１ａおよび第２バンド部分３１ｂはそれぞれ２箇所の接続位置に３つの連結孔３１ｃを有し、第２バンド部分３１ｂはそれぞれ２箇所の接続位置に連結用ボルト３１ｄを有し、各連結ボルト３１ｄをいずれかの連結孔３１ｃに挿入してナット３１ｅで固定することにより、取り付ける電柱２の径に合わせてバンド部３１の長さを調整可能になっている。
【００２１】
図２および図３に示すように、通信線支持具１０は、通信線１を支持するための支持線３を取り付ける部材として、軸部材１２に円板１３を取り付けて使用される。円板１３は、円周方向に沿って周面に溝１３ａを有し、中心に軸孔が設けられている。円板１３は、軸孔に軸部材１２を挿入して、軸部材１２に回転可能に取り付けられている。これにより、円板１３を滑車として使用可能になっている。また、電柱用バンド３０の角根丸頭ボルト３３にも、同じ円板１３を回転可能に取り付けて、滑車として使用可能になっている。
【００２２】
次に、作用について説明する。
図３（ｂ）に示すように、通信線支持具１０は、電柱用バンド３０を利用して支持部材１１で電柱２に固定され、軸部材１２に取り付けられた円板１３に支持線３を巻き掛けて、通信線１を支持することができる。このとき、支持線３を円板１３の周面の溝１３ａに巻き掛けて、容易に架設することができる。また、電柱用バンド３０の角根丸頭ボルト３３に取り付けた円板１３も利用することにより、１つの電柱用バンド３０で、隣り合う２つの電柱との間で支持線３を架け渡し、その支持線３を利用して通信線１を架設することができる。また、通信線支持具１０を複数使用することにより、３つ以上の電柱との間で通信線１を架設することもできる。
【００２３】
このように、通信線支持具１０は、１つの電柱用バンド３０で通信線１を架設することができるため、材料費を低減することができる。また、通常の１つの電柱用バンド３０の取付作業の中で取り付けることができ、比較的短時間で電柱２に取付可能で、容易に通信線１を架設することができる。
【００２４】
通信線支持具１０は、支持部材１１の中央部１１ｃが電柱２の径より小さい曲率で湾曲しているため、支持部材１１が、中央部１１ｃの各端部１１ａ，１１ｂとの２箇所の境界縁で電柱２と接する。このため、支持部材１１を、グラグラせずに安定した状態で電柱２に固定することができる。また、角根丸頭ボルト２１の角根部分２１ａを正方形の取付孔１１ｄまたは１１ｅに係合させて取り付けるため、角根丸頭ボルト２１を支持部材１１の各端部１１ａ，１１ｂに架け渡し、ナット２２を締め付けるだけで、軸部材１２を支持部材１１に共回りを防いで取り付けることができる。このため、電柱上で容易かつ短時間で取付作業を行うことができる。
【符号の説明】
【００２５】
１  通信線
２  電柱
３  支持線
１０  通信線支持具
１１  支持部材
１１ａ，１１ｂ  端部
１１ｃ  中央部
１１ｄ，１１ｅ  取付孔
１１ｆ  挿入孔
１２  軸部材
２１  角根丸頭ボルト
２１ａ  角根部分
２１ｂ  ネジ部分
２２  ナット
１３  円板
１３ａ  溝
３０  電柱用バンド
３１  バンド部
３１ａ  第１バンド部分
３１ｂ  第２バンド部分
３１ｃ  連結孔
３１ｄ  連結ボルト
３１ｅ  ナット
３２  取付部材
３３  角根丸頭ボルト
３４  ナット
【図１】
0003190156.tif 000003
【図２】
0003190156.tif 000004
【図３】
0003190156.tif 000005